(57)【要約】【課題】良好な放熱性を有し、器具の温度上昇を抑制できる照明器具を提供する。【解決手段】実施形態の一例である照明器具１０は、光源１３と、有底筒状のベース部２０と、ベース部２０の外面２１ｂに取り付けられた複数の放熱フィン３０とを備える。複数の放熱フィン３０の少なくとも１つは、ベース部２０の外周面２２ａよりもベース部２０の外側に張り出している。【選択図】図１
2019087431.tif 000002
【特許請求の範囲】
【請求項１】
光源と、
前記光源が取り付けられる第１面、および前記第１面と反対側の第２面を有する有底筒状のベース部と、
前記ベース部の前記第２面に取り付けられた複数の放熱フィンと、
を備え、
前記複数の放熱フィンの少なくとも１つは、前記ベース部の外周面よりも前記ベース部の外側に張り出している、照明器具。
【請求項２】
前記複数の放熱フィンは、前記ベース部の前記第２面の中央を中心として放射状に取り付けられ、前記ベース部の周囲から張り出している、請求項１に記載の照明器具。
【請求項３】
前記複数の放熱フィンは、所定方向に沿って互いに略平行に取り付けられ、前記ベース部の前記所定方向の両側から前記ベース部の外側にそれぞれ張り出している、請求項１に記載の照明器具。
【請求項４】
前記ベース部は、前記第２面の中央部が周縁部よりも外側に向かって膨出した形状を有し、かつ当該周縁部には外側に向かって傾斜した傾斜面が形成され、
前記複数の放熱フィンは、前記第２面の前記傾斜面に取り付けられている、請求項１〜３のいずれか１項に記載の照明器具。
【請求項５】
前記ベース部の前記第２面に取り付けられ、前記ベース部を介して伝わる前記光源の熱により気化する液体が封入された放熱パイプをさらに備え、
前記放熱パイプは、前記ベース部の軸方向に延び、少なくとも先端部が前記複数の放熱フィンに当接している、請求項１〜４のいずれか１項に記載の照明器具。
【発明の詳細な説明】
【技術分野】
【０００１】
本開示は、照明器具に関する。
【背景技術】
【０００２】
従来、光源を収容する有底筒状のベース部を備え、ベース部の開口を鉛直下方に向けた状態で天井の埋め込み孔に挿入される天井埋め込み型の照明器具が広く知られている。このような照明器具は、一般的にダウンライトと呼ばれる。例えば、特許文献１には、ベース部、フランジ部、側壁部、放熱フィン、およびケーブル支持台座が一体成形された放熱体を備える天井埋め込み型の照明器具が開示されている。
【先行技術文献】
【特許文献】
【０００３】
【特許文献１】特開２０１３−６９５８７号公報
【発明の概要】
【発明が解決しようとする課題】
【０００４】
ところで、照明器具では、光源が点灯時に発熱するため、器具の温度上昇を抑制すべく器具の放熱性を向上させることが重要な課題となる。特に、照明器具の重量増、製造コスト増等の不具合を招くことなく、放熱性を向上させることが望まれる。なお、特許文献１の照明器具は、放熱性、軽量性等について未だ改良の余地がある。
【課題を解決するための手段】
【０００５】
本開示の一態様である照明器具は、光源と、前記光源が取り付けられる第１面、および前記第１面と反対側の第２面を有する有底筒状のベース部と、前記ベース部の前記第２面に取り付けられた複数の放熱フィンとを備え、前記複数の放熱フィンの少なくとも１つは、前記ベース部の外周面よりも前記ベース部の外側に張り出していることを特徴とする。
【発明の効果】
【０００６】
本開示の一態様である照明器具によれば、良好な放熱性が得られ、器具の温度上昇を抑制できる。さらに、例えば照明器具の軽量化等を図ることもできる。
【図面の簡単な説明】
【０００７】
【図１】第１実施形態の照明器具を上方から見た斜視図である。
【図２】第１実施形態の照明器具を下方から見た分解斜視図である。
【図３】第１実施形態の照明器具の断面図である。
【図４】第１実施形態の照明器具を構成する器具本体の平面図である。
【図５】第２実施形態の照明器具の一部を示す図である。
【図６】第３実施形態の照明器具を上方から見た斜視図である。
【図７】第３実施形態の照明器具の側面図である。
【図８】第３実施形態の照明器具を構成する器具本体の平面図である。
【発明を実施するための形態】
【０００８】
以下、図面を参照しながら、本開示に係る照明器具の実施形態の一例について詳細に説明する。実施形態の説明では、説明の便宜上、照明器具を水平な天井に取り付けた状態で、照明器具の鉛直上方側を「上」、鉛直下方側を「下」とし、放熱フィンとベース部とが並ぶ方向を「上下方向」とする。なお、本明細書において、「略〜」との記載は、略平行を例に説明すると、完全に平行な状態および実質的に平行と認められる状態を含む意図である。
【０００９】
本開示に係る照明器具は、図書館、駅等の公共施設、デパート等の商業施設、店舗、オフィス、住居、工場等の室内、通路などにおいて水平な天井に取り付けられるが、水平方向および鉛直方向に対して傾斜した天井に取り付けることも可能である。照明器具が取り付けられる天井は、建築空間の上方を区画する部位であればよく、例えば玄関ポーチ、テラスなどの天井であってもよい。
【００１０】
図１は、実施形態の一例である照明器具１０を上方から見た斜視図である。図２は、照明器具１０を下方から見た分解斜視図である。図３は、照明器具１０をベース部２０の軸方向に切断した断面図である。以下では、説明の便宜上、ベース部２０の軸方向に沿った方向を「上下方向またはＺ方向」とし、上下方向に直交する方向を「ＸＹ平面方向」とする。
【００１１】
図１〜図３に示すように、照明器具１０は、光源１３と、光源１３が取り付けられる内面２１ａ、および内面２１ａと反対側の外面２１ｂを有する有底筒状のベース部２０と、ベース部２０の外面２１ｂに取り付けられた複数の放熱フィン３０とを備える。ベース部２０は、天板部２１と、筒壁部２２とで構成され、筒壁部２２の軸方向一端が開口し、筒壁部２２の軸方向他端が天板部２１で塞がれた形状を有する。照明器具１０は、ベース部２０の開口を鉛直下方に向けた状態で、天井に形成された埋め込み孔に挿入されて天井に取り付けられる。照明器具１０は、天井埋め込み型の器具であって、一般的にダウンライトと呼ばれる。
【００１２】
ここで、内面２１ａとは、ベース部２０の内側（筒内）を向いた天板部２１の第１面である。また、外面２１ｂとは、内面２１ａと反対側に位置するベース部２０の外側を向いた天板部２１の第２面である。
【００１３】
照明器具１０において、複数の放熱フィン３０の少なくとも１つは、ベース部２０の外周面２２ａよりもベース部２０の外側に張り出している。ベース部２０の外周面２２ａよりも外側に位置する部分では空気の流速が早くなるため、かかる位置まで放熱フィン３０を延ばすことで、放熱特性を向上させることができる。なお、照明器具１０の器具本体１１は、ベース部２０および放熱フィン３０によって構成される。器具本体１１は、その全体が、特に放熱フィン３０が光源１３で発生する熱を放散させるヒートシンクとしても機能する。ベース部２０および放熱フィン３０の詳細については後述する。
【００１４】
光源１３は、上述の通り、器具本体１１を構成するベース部２０内において、天板部２１の内面２１ａに取り付けられる。本実施形態では、光源１３と、基板１４とで構成された発光モジュール１２が固定部材７０および接続部材７５によって天板部２１の内面２１ａに取り付けられている。発光モジュール１２は、例えば、複数の光源１３が基板１４に実装された構造を有する。基板１４には、金属配線が形成された回路基板を適用でき、放熱性を向上させるための放熱板を含んでいてもよい。
【００１５】
光源１３を構成する発光素子は、半導体発光素子であることが好ましく、中でもＬＥＤ（Ｌｉｇｈｔ  Ｅｍｉｔｔｉｎｇ  Ｄｉｏｄｅ）が特に好ましい。発光素子は、蛍光体を含む封止層で封止されていてもよい。この場合、光源１３は、蛍光体によって発光素子の光の一部をより長波長の光に変換することで白色光を出射する。発光モジュール１２は、ＣＯＢ（Ｃｈｉｐ  Ｏｎ  Ｂｏａｒｄ）型モジュール、ＳＭＤ（Ｓｕｒｆａｃｅ  Ｍｏｕｎｔ  Ｄｅｖｉｃｅ）型モジュールのいずれであってもよく、その構成は特に限定されない。
【００１６】
固定部材７０は、中央に開口７１を有する枠状の部材であって、開口７１の縁部によって発光モジュール１２の基板１４の周りを囲み、発光モジュール１２のＸＹ平面方向の動きを規制する。開口７１は、基板１４を収容でき、かつＸＹ平面方向の動きを規制できる形状および寸法で形成される。発光モジュール１２は、光源１３が実装された基板１４の面をベース部２０の開口側（下方）に向け、固定部材７０の開口７１に収まった状態で天板部２１の内面２１ａに取り付けられる。固定部材７０は、樹脂製の部材であることが好ましい。
【００１７】
固定部材７０の開口７１の近傍には、一部が開口７１の内側に張り出した状態で接続部材７５が固定される。接続部材７５は、発光モジュール１２に電流を供給するための配線が接続され、当該配線と当該モジュールとを電気的に接続する部材である。また、接続部材７５は、発光モジュール１２の基板１４を押えて当該モジュールを天板部２１の内面２１ａに固定する役割を果たす。
【００１８】
接続部材７５は、２つ以上設けられることが好ましく、図２に示す例では、２つの接続部材７５が基板１４の対向する二辺に沿った端部をそれぞれ押えている。接続部材７５は、例えば、固定部材７０と共に天板部２１にネジ止めされる。当該ネジは、天板部２１に形成されたネジ孔２５（図４参照）に締結される。発光モジュール１２は、接続部材７５が天板部２１にネジ止めされることで、基板１４が天板部２１の内面２１ａに押し付けられ、内面２１ａに固定される。
【００１９】
さらに、照明器具１０は、ベース部２０の開口側に取り付けられる枠体４０を備える。また、照明器具１０は、固定部材７０に接続される反射部材５０と、反射部材５０に固定される透光性カバー６０とを備える。本実施形態では、枠体４０がネジ４９を用いて天板部２１に固定される。枠体４０は、透光性カバー６０を透過した光源１３の光を通過させる筒状の部材であって、軸方向両端（上下両端）が開口している。本実施形態では、枠体４０の上端に形成された開口４６から反射部材５０および透光性カバー６０の一部が下方に突出している。
【００２０】
反射部材５０は、光源１３から出射される光の配光を制御する部材である。反射部材５０は、上下両端が開口し、下端に近づくほど内径が拡大した筒状の本体部５１を有する。本体部５１は、光源１３からの光の少なくとも一部を透光性カバー６０側に反射させる。本体部５１の内面には、蒸着、メッキ、スパッタリング等により金属層が形成されていてもよく、研磨等により鏡面仕上げされていてもよい。或いは、白色顔料を含有する白色の塗膜が形成されていてもよい。反射部材５０は、本体部５１の下部が枠体４０の開口４６から下方に突出した状態で配置される。
【００２１】
反射部材５０は、本体部５１の外周面から外側に張り出した支持部５２を有する。支持部５２は、枠体４０の後述する張出部４２が当接する部分である。支持部５２を設けることで、枠体４０が天板部２１にネジ止めされたときに枠体４０によって反射部材５０が固定部材７０に押圧される。反射部材５０は、枠体４０から押圧されることで、固定部材７０に接続された状態で安定に配置される。
【００２２】
支持部５２は、本体部５１の周方向に離れて２つ以上形成されることが好ましい。支持部５２は、本体部５１の径方向に並んで形成されていてもよいが、図２に示す例では径方向に並んで形成されていない。また、各支持部５２には、ネジ４９を通すネジ挿通部５３、および枠体４０側に突出した位置決めピン５４がそれぞれ形成されている。
【００２３】
透光性カバー６０は、本体部５１の光出射側（下端）の開口を覆うように、本体部５１の下部に固定されている。なお、本体部５１および透光性カバー６０は、互いに嵌合する固定構造（図示せず）をそれぞれ有することが好ましい。透光性カバー６０は、例えば、ガラス製または樹脂製の透明な部材である。或いは、光拡散用のフィラーまたはボイドを含有する乳白色の透光部材であってもよい。また、透光性カバー６０は、反射部材５０を通過した光の配光を制御するレンズ機能を有していてもよい。
【００２４】
枠体４０は、円筒状に形成され、例えば上下方向に沿って直径が略一定の側壁部４１を有する。枠体４０は、補助反射体として機能することが好ましい。この場合、少なくとも側壁部４１の内面には、反射部材５０と同様の反射面が形成される。枠体４０の上端に形成された開口４６は、反射部材５０および透光性カバー６０の一部が挿通可能な形状および寸法で形成される。
【００２５】
また、枠体４０には、上端部に内側に張り出した円環状の張出部４２が、下端部に外側に張り出した円環状のフランジ部４３がそれぞれ形成されている。なお、張出部４２に囲まれた範囲が開口４６となる。枠体４０は、張出部４２を利用してベース部２０に固定される。照明器具１０は、器具本体１１および枠体４０の上部が埋め込み孔から天井裏空間に挿入され、フランジ部４３が天井面の埋め込み孔の周縁部に略当接した状態で、天井に取り付けられる。
【００２６】
枠体４０には、照明器具１０を天井に取り付けるための取付バネ４５が固定されている。取付バネ４５は、板バネ構造を有し、水平方向に延びている。照明器具１０は、取付バネ４５が天井裏空間において天井の埋め込み孔の周囲に当接することで天井に固定される。本実施形態では、枠体４０の側壁部４１に形成されたバネ固定部４４に取付バネ４５が固定されている。バネ固定部４４は、取付バネ４５の一端部を挿し込み可能な構造を有し、側壁部４１の周方向に略等間隔で３つ形成されている。なお、バネ固定部４４および取付バネ４５の数は特に限定されず、例えば２つであってもよい。
【００２７】
枠体４０の張出部４２には、ネジ孔４７および貫通孔４８がそれぞれ４つずつ形成されている。張出部４２は、円環状に形成された略平坦な板状部分であって、枠体４０をベース部２０に固定する際に利用される。具体的には、天板部２１の貫通孔２６（図４参照）に挿通されるネジ４９が反射部材５０のネジ挿通部５３を通って張出部４２のネジ孔４７に締結されることで、枠体４０が天板部２１に固定される。さらに、張出部４２が反射部材５０の支持部５２に当接することで、反射部材５０が枠体４０と固定部材７０とで挟持される。また、張出部４２の貫通孔４８には、反射部材５０の位置決めピン５４が挿入される。
【００２８】
なお、ネジ孔４７および貫通孔４８は、１つの支持部５２に対応する位置にそれぞれ２つずつ、合計４つ形成されている。本実施形態では、支持部５２が２つ存在するので、ネジ孔４７および貫通孔４８の４つの集まりが各支持部５２の位置に対応する張出部４２の２箇所に形成されている。ネジ孔４７および貫通孔４８は、例えばこれらの４つの集まりがいずれの支持部５２に対応する位置に存在する場合でも、ネジ４９および位置決めピン５４が対応する孔に挿通可能となるように形成される。この場合、枠体４０の取り付けが容易になる。
【００２９】
以下、図４をさらに参照しながら、器具本体１１の構成について詳説する。図４は、器具本体１１の平面図である。
【００３０】
図１〜図４に示すように、器具本体１１は、天板部２１および筒壁部２２を有する有底筒状ないしカップ状のベース部２０と、天板部２１の外面２２ｂに取り付けられた複数の放熱フィン３０とを備える。器具本体１１は、複数の放熱フィン３０をベース部２０に取り付けて構成されている。ベース部２０および放熱フィン３０は、別々の部品であって、鉄、アルミニウム等を主成分とする金属でそれぞれ構成される。
【００３１】
ベース部２０および放熱フィン３０は、鍛造加工またはプレス加工によって高い寸法精度でそれぞれ形成することができ、また各部材の厚みを薄くすることができる。このため、例えば器具本体１１の軽量化、材料コスト削減等を図ることができる。また、鍛造加工またはプレス加工によって製造する場合、鋳造加工で製造する場合と比べて材料選択の自由度が高く、より高熱伝導性の材料を用いることもできる。
【００３２】
ベース部２０の天板部２１は、発光モジュール１２および放熱フィン３０がそれぞれ取り付けられる円板状の部分であって、図４に例示するように平面視略真円形状を呈する。発光モジュール１２は、上述の通り、固定部材７０および接続部材７５を用いて天板部２１の内面２１ａに固定される。また、器具本体１１の下方に配置される枠体４０も天板部２１に固定される。天板部２１には、固定部材７０および接続部材７５を固定するネジが螺号されるネジ孔２５と、枠体４０を固定するネジ４９が挿通される貫通孔２６とがそれぞれ形成されている。
【００３３】
天板部２１は、外面２１ｂに形成された複数の突起２３を有する。突起２３は、上方に向かって突出しており、放熱フィン３０を外面２１ｂに取り付ける際に使用される。具体的には、放熱フィン３０の貫通孔３５に突起２３を挿し込み、貫通孔３５から上方に突出した突起２３の先端部を押し潰して塑性変形させることで、放熱フィン３０が外面２１ｂに固定される。即ち、放熱フィン３０は突起２３を利用してかしめ固定される。この場合、ベース部２０と放熱フィン３０との接触の程度が強くなり良好な熱伝導性が得られる。
【００３４】
突起２３は、例えば天板部２１を内側から外側に向かってプレス加工することで形成される。この場合、内面２１ａには、突起２３に対応する位置に凹部が形成される。突起２３は、略円柱形状を有することが好ましい。また、貫通孔３５から上方に突出した突起２３の先端部は、塑性変形されて貫通孔３５の直径よりも大きくなっており、貫通孔３５内に存在する突起２３の根元部よりも拡径している。
【００３５】
ベース部２０の筒壁部２２は、円筒状に形成され、例えば上下方向に沿って略一定の直径を有する。筒壁部２２の下端は、ベース部２０の下方に取り付けられる枠体４０の張出部４２に当接している。本実施形態では、筒壁部２２の外周面２２ａが上下方向に沿って略真っ直ぐに形成されている。外周面２２ａは、枠体４０の側壁部４１の外周面よりも照明器具１０のやや内側に位置しているが、外周面２２ａは側壁部４１の外周面と面一に形成されていてもよい。なお、筒壁部２２には、ベース部２０内に配置された接続部材７５に接続される配線（図示せず）を外部に引き出すための切り欠き２４が形成されている。
【００３６】
複数の放熱フィン３０は、光源１３で発生した熱を放散させ、器具本体１１の温度上昇を抑制する機能を有する。複数の放熱フィン３０は、上述のように、筒壁部２２の外周面２２ａよりもベース部２０の外側に張り出した状態で、天板部２１の外面２１ｂに突起２３を利用して取り付けられている。図４に例示するように、器具本体１１では、全ての放熱フィン３０が筒壁部２２の外周面２２ａよりも外側に張り出している。
【００３７】
複数の放熱フィン３０は、ベース部２０の外面２１ｂの中央αを中心として放射状に取り付けられ、ベース部２０の周囲から張り出している。各放熱フィン３０同士の間隔は、中央α側で狭く、中央αから離れた外側で広がっている。本実施形態では、照明器具１０の光軸およびベース部２０の中心軸が外面２１ｂの中央αを通るので、複数の放熱フィン３０は当該光軸および中心軸を中心として放射状に取り付けられていると言える。
【００３８】
ベース部２０の外面２１ｂには、１６個の放熱フィン３０が中央αを囲むようにベース部２０の周方向に略等間隔で配置されている。外面２１ｂの中央部には放熱フィン３０が配置されず、当該中央部の上には放熱フィン３０が存在しない空間が形成される。当該空間を設けることで、空気の対流がよりスムーズになり放熱性がさらに向上する。各放熱フィン３０はベース部２０の径方向に沿って配置され、２つの放熱フィン３０が中央αを挟んでベース部２０の径方向両側において、互いに同一直線上に配置されている。なお、放熱フィン３０の個数、配置等はこれ限定されない。
【００３９】
各放熱フィン３０は、互いに異なる形状および寸法であってもよいが、本実施形態では互いに同じ形状および寸法を有する。放熱フィン３０は、底部３１と、底部３１の短手方向両端部に立設した２つの壁部３２ａ，３２ｂと備え、断面略Ｕ字形状を有する。底部３１は、略一定の幅を有する板状部分であって、その長手方向がベース部２０の径方向沿った状態で配置されている。また、底部３１は天板部２１の外面２１ｂに接触している。光源１３の熱は、天板部２１から底部３１に、そして底部３１から壁部３２ａ，３２ｂに伝わることで効率良く放熱される。
【００４０】
また、各放熱フィン３０は、外面２１ｂの中央α側に延びた内側延出部３４を有していてもよい。内側延出部３４は、底部３１の内端から中央α側に延出し、底部３１と同様に、天板部２１の外面２１ｂに接触している。本実施形態では、外面２１ｂの中央部に凹部２７が形成されており、凹部２７に対応する天板部２１の内面２１ａ（凹部２７と上下方向に重なる領域）には凸部が形成されている。内側延出部３４の先端部は下方に折れ曲がり、凹部２７の表面に接触している。
【００４１】
なお、発光モジュール１２は、基板１３が凸部に当接した状態で内面２１ａに取り付けられている。ゆえに、外面２１ｂの凹部２７は温度が上昇し易い部分であるため、凹部２７に接触する内側延出部３４を設けることで、器具本体１１の放熱性を向上させることができる。
【００４２】
底部３１は、天板部２１の半径を超える長さを有することが好適である。また、底部３１は、筒壁部２２の外周面２２ａよりも外側に張り出さないように配置されることが好ましい。壁部３２ａ，３２ｂだけが筒壁部２２の外周面２２ａよりも外側に張り出すことで、壁部３２ａ，３２ｂの間隙に空気が流入し易くなり、効率良く対流が起こって放熱効果が向上する。
【００４３】
底部３１には、上述のように、貫通孔３５が形成されている。貫通孔３５は、底部３１の長手方向に並んで複数形成されることが好ましい。貫通孔３５は、例えば平面視略真円形状の孔であって、塑性変形前の突起２３が挿通可能な寸法で形成される。底部３１は、突起２３の高さよりも薄い厚みで形成される。このため、貫通孔３５に挿通される突起２３の先端部が貫通孔３５から上方に突出する。突起２３の先端部が貫通孔３５の直径よりも大きくなり底部３１の上面において貫通孔３５の周縁に当接するように、当該先端部を押し潰して塑性変形させることで、底部３１が外面２１ｂに固定される。
【００４４】
壁部３２ａ，３２ｂは、底部３１に対して略垂直に形成され、天板部２１の外面２１ｂに略垂直に立設している。即ち、外面２１ｂには、上下方向およびＸＹ平面方向に沿って放熱フィン３０の壁部３２ａ，３２ｂが立設している。壁部３２ａ，３２ｂは、底部３１の幅に対応する隙間をあけて互いに略平行に形成されることが好ましい。壁部３２ａ，３２ｂは、互いに異なる形状および高さで形成されていてもよいが、本実施形態では突出部３３ａ，３３ｂを除き互いに同じ形状および高さで形成されている。
【００４５】
壁部３２ａ，３２ｂの高さ（上下方向長さ）は、特に限定されないが、例えばベース部２０の軸方向長さよりも長く、当該軸方向長さの２倍〜５倍が好ましい。また、壁部３２ａ，３２ｂは、底部３１の長手方向に沿う方向の長さが、底部３１から離れた上部において底部３１に近い下部よりも長くなっていることが好ましい。そして、壁部３２ａ，３２ｂの上部がベース部２０の筒壁部２２の外周面２２ａよりも外側に張り出している。壁部３２ａ，３２ｂの下部は、底部３１と同じ長さを有し、外周面２２ａよりも外側に張り出さないように配置されている。
【００４６】
壁部３２ａ，３２ｂの外周面２２ａよりも外側に張り出した部分は、各放熱フィン３０において略同じ長さだけ張り出していることが好ましい。各壁部３２ａ，３２ｂが、ベース部２０の周方向に沿って略等間隔で並び、略同じ長さだけ張り出すように、各放熱フィン３０が配置される。この場合、ベース部２０の全周囲で均一な放熱効果が得られ易くなる。器具本体１１の平面視において、壁部３２ａ，３２ｂの先端をつなぐ外接円は、例えば外面２１ｂの中央αを中心とする略真円形状となる。
【００４７】
壁部３２ａは、壁部３２ｂ側に突出した突出部３３ａを、壁部３２ｂは、壁部３２ａ側に突出した突出部３３ｂをそれぞれ有する。突出部３３ａは、壁部３２ａの中央α側に位置する内端において、壁部３２ａの上端部、および高さ方向中央よりもやや下方に１つずつ形成されている。他方、突出部３３ｂは、壁部３２ｂの外端において、壁部３２ｂの上端部、および高さ方向中央よりもやや下方に１つずつ形成されている。突出部３３ａ，３３ｂは、例えば壁部３２ａ，３２ｂを構成する金属板を対向する壁部側に折り曲げ、当該壁部との間に僅かな隙間をあけて形成される。突出部３３ａ，３３ｂを設けることで、壁部３２ａ，３２ｂに対して、互いに近づく方向の力が作用したときに壁部間に突っ張って壁部が変形することを防止できる。
【００４８】
以上のように、上記構成を備えた照明器具１０によれば、良好な放熱性が得られ、器具の温度上昇を抑制できる。上述のように、ベース部２０の外側では空気の流速が早くなるため、かかる位置まで放熱フィン３０を延ばすことで放熱特性が向上する。また、ベース部２０の突起２３を利用して放熱フィン３０を天板部２１にかしめ固定することで、良好な熱伝導性を維持しながら、器具本体１１の軽量化、材料コスト削減等を図ることができる。
【００４９】
以下、図５〜図９を参照しながら、実施形態の他の一例について説明する。以下では、第１実施形態との相違点を主に説明し、重複する説明を省略する。同一または類似の構成要素における上記説明は、以下の実施形態に援用される。
【００５０】
図５は、第２実施形態の照明器具１０Ｘの一部を示す図である。図５に示すように、照明器具１０Ｘの器具本体１１Ｘは、有底筒状のベース部２０Ｘと、ベース部２０Ｘの天板部２１Ｘの外面２１Ｘｂに取り付けられた複数の放熱フィン３０とを備える点で、照明器具１０と共通する。一方、照明器具１０Ｘのベース部２０Ｘの形状は、照明器具１０のベース部２０の形状と異なる。なお、照明器具１０Ｘは、照明器具１０と同じ形態の放熱フィン３０を備えているが、放熱フィンの形状は特に限定されない。
【００５１】
ベース部２０Ｘは、外面２１Ｘｂの中央部が周縁部よりも外側に向かって膨出した形状を有し、かつ当該周縁部には外側に向かって傾斜した傾斜面８０が形成されている。傾斜面８０は、外面２１Ｘｂの中央側から外側に向かって下方に傾斜した略平坦な面である。天板部２１Ｘの中央部には、ベース部２０Ｘの軸方向に略垂直な頂面８１が形成されている。頂面８１は略平坦であって、その内側に光源（図示せず）が取り付けられる。
【００５２】
複数の放熱フィン３０は、傾斜面８０に取り付けられている。放熱フィン３０は、照明器具１０の場合と同様に、ベース部２０Ｘの傾斜面８０に形成された突起２３Ｘを利用して傾斜面８０に取り付けられる。複数の放熱フィン３０は、ベース部２０Ｘの中心軸βを中心として放射状に取り付けられ、ベース部２０Ｘの外周面２２Ｘａよりもベース部２０Ｘの外側に張り出している。各放熱フィン３０は、傾斜面８０に取り付けられているため、上端部に近づくほどベース部２０の外側に大きく張り出している。
【００５３】
上記構成を備えた照明器具１０Ｘにおいても、良好な放熱性が得られ、器具の温度上昇を抑制できる。なお、照明器具１０Ｘは、照明器具１０の場合と同様に、枠体、反射部材、透光性カバー、固定部材、および接続部材等を備えていてもよい。
【００５４】
図６〜図８は、第３実施形態の照明器具１０Ｙを示す図である。図６は照明器具１０Ｙを上方から見た斜視図、図７は照明器具１０Ｙの側面図である。図８は、照明器具１０Ｙを構成する器具本体１１Ｘの平面図である。
【００５５】
図６〜図８に示すように、照明器具１０Ｙは、有底筒状のベース部２０Ｙと、ベース部２０Ｙの外面２１Ｙｂに取り付けられた複数の放熱フィン３０Ｙとを備える点で、照明器具１０と共通する。また、照明器具１０Ｙは、ベース部２０Ｙの下方に取り付けられた枠体４０Ｙを備える。なお、照明器具１０Ｙは、照明器具１０と同様に、反射部材、透光性カバー、固定部材、および接続部材等を備えていてもよい。
【００５６】
一方、照明器具１０Ｙでは、放熱フィン３０Ｙが、所定方向に沿って互いに略平行に取り付けられ、ベース部２０Ｙの当該所定方向の両側からベース部２０Ｙの外側にそれぞれ張り出している点で、放熱フィン３０が放射状に配置された照明器具１０Ｘと異なる。さらに、ベース部２０Ｙの外面２１Ｙｂに取り付けられ、ベース部２０Ｙを介して伝わる光源の熱により気化する液体が封入された放熱パイプ９０ａ，９０ｂをさらに備える点で、照明器具１０と異なる。放熱パイプ９０ａ，９０ｂは、ベース部２０Ｙの軸方向に延び、少なくとも先端部が複数の放熱フィン３０Ｙに当接している。
【００５７】
放熱フィン３０Ｙは、天板部２１Ｙの外面２１Ｙｂに固定される底部３１Ｙと、外面２１Ｙｂに対して略垂直に立設する壁部３２Ｙとを備える。各放熱フィン３０Ｙは互いに異なる形状および寸法で形成されてもよいが、本実施形態ではいずれも同じ形状および寸法で形成されている。放熱フィン３０Ｙは、照明器具１０の放熱フィン３０と同様に、天板部２１Ｙに形成される突起２３Ｙを用いて外面２１Ｙｂに取り付けられてもよい。この場合、底部３１Ｙには突起２３Ｙを挿通可能な貫通孔が形成される。
【００５８】
放熱フィン３０Ｙにおいて、上記所定方向（放熱フィン３０Ｙの面方向）に沿った壁部３２Ｙの長さは、下部よりも上部で長くなっている。壁部３２Ｙの上部は、下部の所定方向両端よりも外側に向かってそれぞれ張り出している。そして、壁部３２Ｙの上部が、ベース部２０Ｙの外周面２２Ｙａを超えてベース部２０Ｙの外側に張り出している。照明器具１０Ｙでは、全ての放熱フィン３０Ｙがベース部２０Ｙの外周面２２Ｙａよりも外側に張り出している。また、放熱フィン３０Ｙの張り出し長さは、ベース部２０Ｙの所定方向の両側で略同じであることが好ましい。
【００５９】
ベース部２０Ｙは、天板部２１Ｙの外面２１Ｙｂに形成された放熱パイプ９０ａ，９０ｂの収容溝９１が形成されている。収容溝９１は、各放熱フィン３０Ｙの面方向、即ち所定方向に対して直交する方向に沿って形成されている。収容溝９１に沿って配置された放熱パイプ９０ａ，９０ｂは、天板２１Ｙｂに当接し、各放熱フィン３０Ｙの下に配置される。放熱パイプ９０ａ，９０ｂは、外面２１Ｙｂの端部から上方に延び、途中で収容溝９１に沿った方向に折れ曲がって各放熱フィン３０Ｙを貫通した状態で配置されている。なお、各放熱フィン３０Ｙには放熱パイプ９０ａ，９０ｂを通す貫通孔が形成されている。
【００６０】
照明器具１０Ｙでは、２本の放熱パイプ９０ａが各放熱フィン３０Ｙの上部に連結され、２本の放熱パイプ９０ｂが各放熱フィン３０Ｙの高さ方向中央部に連結されている。放熱パイプ９０ａ，９０ｂに封入された液体は、パイプの下部で加熱されて気化し、パイプの上部で冷却されて液体に戻る。照明器具１０Ｙでは、当該液体が気化するときの気化熱を器具本体１１Ｙの冷却に利用できる。放熱パイプ９０ａ，９０ｂは、放熱フィン３０Ｙと同様に、ベース部２０Ｙの外周面２２Ｙａを超えて外側に張り出していてもよい。
【００６１】
上記構成を備えた照明器具１０Ｙにおいても、照明器具１０，１０Ｘの場合と同様に、良好な放熱性が得られ、器具の温度上昇を抑制できる。
【符号の説明】
【００６２】
１０  照明器具、１１  器具本体、１２  発光モジュール、１３  光源、１４  基板、２０  ベース部、２１  天板部、２１ａ  内面、２１ｂ  外面、２２  筒壁部、２２ａ  外周面、２３  突起、２４  切り欠き、２５  ネジ孔、２６  貫通孔、２７  凹部、３０  放熱フィン、３１  底部、３２ａ，３２ｂ  壁部、３３ａ，３３ｂ  突出部、３４  内側延出部、３５  貫通孔、４０  枠体、４１  側壁部、４２  張出部、４３  フランジ部、４４  バネ支持部、４５  取付バネ、４６  開口、４７  ネジ孔、４８  貫通孔、４９  ネジ、５０  反射部材、５１  本体部、５２  支持部、５３  ネジ挿通部、５４  位置決めピン、６０  透光性カバー、７０  固定部材、７１  開口、７５  接続部材
【図１】
2019087431.tif 000003
【図２】
2019087431.tif 000004
【図３】
2019087431.tif 000005
【図４】
2019087431.tif 000006
【図５】
2019087431.tif 000007
【図６】
2019087431.tif 000008
【図７】
2019087431.tif 000009
【図８】
2019087431.tif 000010